(57)【要約】多層書き込み可能光ディスクは、少なくとも２つの層（Ｌ１、Ｌ２、．．．）と少なくとも２つの欠陥管理領域（ＤＦ１、ＤＦ２、．．．）とを有する。第１欠陥管理領域（ＤＦ１）は第１の径方向位置（ＲＰ１）における少なくとも２つの層の第１層（Ｌ１）において位置決めされ、第２欠陥管理領域（ＤＦ２）は第２の径方向位置（ＲＰ２）における少なくとも２つの層の第２層（Ｌ２）において位置決めされている。第１の径方向位置（ＲＰ１）と第２の径方向位置（ＲＰ２）とは異なっている。
2006500713.tif 000002
【特許請求の範囲】
【請求項１】
少なくとも２つの書き込み可能な層と少なくとも２つの欠陥管理領域とを有する光ディスクであって：
前記の少なくとも２つの欠陥管理領域の第１の一は、第１の径方向位置に前記の少なくとも２つの書き込み可能な層の第１の一に位置決めされていて；
前記の少なくとも２つの欠陥管理領域の第２の一は、前記の第１の径方向位置とは異なる第２の径方向位置に前記の少なくとも２つの書き込み可能な層の第２の一に位置決めされている；
ことを特徴とする少なくとも２つの欠陥管理領域を有する光ディスク。
【請求項２】
請求項１に記載の少なくとも２つの欠陥管理領域を有する光ディスクであって、前記の少なくとも２つの欠陥管理領域の前記第１の一の前記の径方向の位置において、他の欠陥管理領域は位置決めされていない、ことを特徴とする少なくとも２つの欠陥管理領域を有する光ディスク。
【請求項３】
請求項１に記載の少なくとも２つの欠陥管理領域を有する光ディスクであって、前記の少なくとも２つの欠陥管理領域は、前記ディスクの径方向位置に対して一様に広がっている、ことを特徴とする少なくとも２つの欠陥管理領域を有する光ディスク。
【請求項４】
請求項１又は２に記載の少なくとも２つの欠陥管理領域を有する光ディスクであって、
１つの欠陥管理領域は前記の少なくとも２つの書き込み可能な層の各々の一に位置決めされている、ことを特徴とする少なくとも２つの欠陥管理領域を有する光ディスク。
【請求項５】
請求項１に記載の少なくとも２つの欠陥管理領域を有する光ディスクであって、前記の第１の径方向位置は前記ディスクの内側であり、前記の第２の径方向位置は前記ディスクの外側である、ことを特徴とする少なくとも２つの欠陥管理領域を有する光ディスク。
【請求項６】
請求項１に記載の少なくとも２つの欠陥管理領域を有する光ディスクであって；
前記の第１の径方向位置は前記ディスクの内側であり；
前記の少なくとも２つの欠陥管理領域の第３の一は前記ディスクの外側に対応する径方向位置における書き込み可能な層の前記の第１の一において存在し、前記の第２の径方向位置は前記の第１の径方向位置と前記の第３の径方向位置との間にある；
ことを特徴とする少なくとも２つの欠陥管理領域を有する光ディスク。
【請求項７】
請求項１に記載の少なくとも２つの欠陥管理領域を有する光ディスクであって：
複数の前記の少なくとも２つの欠陥管理領域は、複数の異なる一様に分布した第１の径方向位置の第１の層において位置決めされ；
複数の前記の少なくとも２つの欠陥管理領域は、複数の異なる一様に分布した第２の径方向位置の第２の層において位置決めされ；
前記の第１の径方向と前記の第２の径方向は径方向において連続する検出管理領域間で実質的に等しい径方向距離を得るように選択される；
ことを特徴とする少なくとも２つの欠陥管理領域を有する光ディスク。
【請求項８】
異なる径方向位置において少なくとも２つの書き込み可能な層の異なる層に位置決めされた少なくとも２つの欠陥管理領域と前記の少なくとも２つの書き込み可能な層とを有する光ディスクにアクセスするための装置であって：
前記光ディスクの方に方向付けられた光ビームを生成するため、及び回転している間に前記光ディスクにより反射された反射光ビームを受けるための光要素；並びに
前記の２つの書き込み可能な層の一に前記光ビームをフォーカシングするためのフォーカス回路；
を有することを特徴とする装置。
【請求項９】
少なくとも２つの書き込み可能な層を有する光ディスクにおいて欠陥管理領域を位置決めする方法であって、異なる放射方向位置において少なくとも２つの書き込み可能な層の異なる層に少なくとも２つの欠陥管理領域を位置決めする段階を有することを特徴とする欠陥管理領域を位置決めする方法。
【請求項１０】
情報を記録するためのコンピュータプログラムプロダクトであって、プログラムは、処理器が請求項９に記載の方法を実行するようにするために有効である、ことを特徴とする
コンピュータプログラムプロダクト。
【発明の詳細な説明】
【技術分野】
【０００１】
本発明は、光書き込み型ディスク、光書き込み型ディスクにアクセスするための装置、光ディスクに欠陥管理領域を位置決めする方法及びコンピュータプログラムプロダクトに関する。
【背景技術】
【０００２】
単一層の光書き込み可能コンパクトディスク（ＣＤ）は、そのディスクの径方向に一様に分布された欠陥管理領域（更には又、ＤＭＡという）を有する。これは、常に、ＤＭＡの１つが実際の径方向の位置に比較的に近いため、実際の特定の径方向の位置から開始するＤＭＡのアクセス時間を最小化する。しかしながら、大きい連続物理データ領域が利用可能でないことが欠点である。ストリーミング映像のような非常に大きいデータファイルがディスクに書き込まれる必要がある場合、データは幾つかのＤＭＡの間に書き込まれることが必要である。ＤＭＡに対する各々のジャンプの間、一部の時間は失われ、結果的に、全体的に小さいデータレートになり、一時的に停止される映像プレゼンテーションをもたらす。
【０００３】
単一層の光書き込み可能ディスク（ＤＶＤ）は、ＤＶＤディスクの内側及び外側の両方において比較的に大きいＤＭＡを有することが、更に周知である。ここで、大きい連続データ領域が利用可能であるが、エラーが発生する場合、ＤＭＡにジャンプする時間は長い。
【発明の開示】
【発明が解決しようとする課題】
【０００４】
本発明の目的は、多層光ディスクのための欠陥管理を提供することである。
【課題を解決するための手段】
【０００５】
本発明の第１の特徴は、光書き込み可能ディスクを提供する。本発明の第２の特徴は、光ディスクにアクセスするための装置を提供する。本発明の第３の特徴は、光ディスクの欠陥領域を位置決めする方法を提供する。本発明の第４の特徴はコンピュ他プログラムプロダクトを有する。有利な実施形態については従属請求項に規定している。
【０００６】
本発明の第１の特徴に従った多層光書き込み可能ディスクは、少なくとも２つの層と少なくとも２つの欠陥管理領域とを有する。第１欠陥管理領域は第１径方向位置の第１層に位置決めされ、第２欠陥管理領域は第２径方向位置の第２層に位置決めされる。
【０００７】
異なる径方向位置の異なる層に異なる予備領域を配置する有利性は、大きい連続データ領域が各々の層において利用可能であることである一方、特定の径方向の位置からディスクの他の層に位置決めされることが可能である最近接ＤＭＡまでの距離は比較的小さい。他の層が速く動かされるより非常に速く、レーザスポットをその層にリフォーカシングすることができる。ディスクが一定の線形速度で読み出される又は書き込まれる場合、他の径方向へのジャンプは変えることができるディスクの回転速度を必要とし、又そのジャンプはかなり長い時間を要する。それ故、高連続データストリームが必要とされる場合、実際の径方向の位置から最近接のＤＭＡの１つまでの距離は小さいことが重要である。
【０００８】
ディスクの外側の大きいＤＭＡ及びディスクの内側の大きいＤＭＡの他の有利性は、ＤＭＡに対してジャンプする知能に対する要求を伴わないで連続データ領域の始まりから終わりまで、プレーヤがデータを読み込むことができるという点で、互換性の問題である。更に、特定のアプリケーションにおいては、比較的大きい欠陥領域が単一のＤＭＡに移動されることができる場合、有利である。そして、２つのＤＭＡを、それ以上の多くのＤＭＡに代えて管理することはより容易である。
【０００９】
先行技術におけるＤＭＡの管理は、単一の層のディスクのみに対して対応するものである。
【００１０】
先行技術のＣＤのために用いられるＤＭＡに従った教示が多層ディスクに適用される場合、ＤＭＡ全ては１つの層において径方向に等距離であるように配置され、この層は比較的小さい連続データ領域を有する。ＤＭＡ全てが同じ方式で全ての層に径方向に等距離に配置される場合、全ての層は比較的小さい連続データ領域を有する。
【００１１】
先行技術のＤＶＤのために用いられるＤＭＡに従った教示が多相ディスクに適用される場合、２つの比較的大きいＤＭＡは、それら多相の一層のみ又は数層においてディスクの内側及び外側であって、開発過程にある新しいブルーレイ規格の場合に全て全く同様な内側及び外側の位置に、配置される。ブルーレイ規格は、２層書き込み可能ディスクを網羅する。本発明の実施形態に従って、異なる層におけるＤＭＡ全ては、層当たり同じＤＭＡ数で最近接のＤＭＡに特定な径方向位置から移動することが必要な時間を改善する同じ径方向位置に存在しない。同じ径方向位置にＤＭＡ全てを有するという更なる欠点は、この径方向の位置を覆うスクラッチ又は指紋がＤＭＡ全てを役に立たなくする。
【００１２】
先行技術のＤＭＡの組み合わせは、ディスクの内側及び外側において比較的大きいＤＭＡと、多相ディスクの１つ又はそれ以上の層全てにおいてディスクに対して一様に分布した幾つかのＤＭＡとをもたらす。
【００１３】
本発明の実施形態においては、同じ層に全てが位置決めされないＤＭＡは、径方向に一様に広がっている。これは、ディスクにおける各々の径方向の位置からのＤＭＡへの距離が最小である有利性を有する。最近接ＤＭＡは、現在、用いられている層ではなく、他の層に位置決めされることが可能であるが、その層は最近接のＤＭＡを有する層に非常に速くフォーカシングすることができる一方、径方向のレーザの遅い動きを最小にすることができる。
【００１４】
本発明の実施形態においては、層当り１つのＤＭＡのみが利用可能である。このことは、層毎に最大連続データ領域が存在する有利性を有する。異なるＤＭＡはが異なる径方向位置を有するという事実のために、データが読み出された又は書き込まれた実際の径方向位置から最近接ＤＭＡまでの距離は適度に小さい。これは、氏好くが多くの層を有するとき、特に真理である。
【００１５】
本発明に実施形態においては、ＤＭＡの１つは、ディスクが最短トラックを有するディスクの内側においてそれらの層の第１の一に位置決めされる一方、ＤＭＡの他の１つが、ディスクが最長トラックを有するディスクの外側においてそれの層の第２の一に位置決めされる。これは、特に、２層のみを有するディスクに対して、ＤＭＡの優位性のある位置である。最大連続データ領域が存在し、各々の径方向位置からの最近接ＤＭＡへの距離は最小である。
【００１６】
本発明の実施形態において、２つのＤＭＡがそれらの層の第１の１つであって、一はディスクの外側に、他はディスクの内側に位置決めされる。それ故、又、大きい連続領域は、データのためにこの層において利用可能である。第３のＤＭＡの１つは、ディスクの内側と外側との間の径方向において、それらの層の第２の１つにおいて位置決めされる。好適には、この第３のＤＭＡは、外側の位置と内側の位置の中間の径方向の位置に位置決めされる。これは、特に、２つの層のみを有するディスクに対して、ＤＭＡの優位性のある位置である。大きい連続データ領域がそれらの層の各々に存在し、各々の径方向位置から開始する最近接ＤＭＡまでの距離は最小である。
【００１７】
本発明の実施形態において、複数の一様に位置決めされたＤＭＡはそれらの層の第１の１つに存在し、複数の一様に位置決めされたＤＭＡはそれらの層の第２の１つに存在する。それらの層の第１の１つのＤＭＡは、径方向における２つの連続ＤＭＡの間の距離が常に同様であるような層の第２の１つのＤＭＡの径方向位置によりインターリーブされる径方向位置を有する。最近接ＤＭＡへのより小さい距離が必要とされる一方、より小さい連続データ領域が受け入れられる場合、これは、ＤＭＡの優位性のある位置である。公的な実子啓太においては、２層のみを有するディスクに対しては、層毎に２つのＤＭＡのみが存在する。又、２つの比較的大きい連続データ領域が層毎に存在し、各々の径方向の位置から開始されるし近接ＤＭＡまでの距離は、ディスクの内側と外側との間の径方向距離の１／４より常に小さい。
【００１８】
一般に、好適には、層毎のＤＭＡの最小数を有して、ＤＭＡの１つにジャンプするために最小時間が必要であるように、ＤＭＡは分布している。これは、異なる層におけるＤＭＡは異なる径方向位置を有することを意味する。同じ径方向の位置の２つの異なる層にＤＭＡが存在する場合、連続データ領域の無駄遣いである。ＤＭＡの１つにジャンプする時間が短い点で有利でない。それ故、ＤＭＡは、特定の径方向に２つ以上のＤＭＡを有することなく、ディスクの径方向に対して好適に、一様に分布している。
【００１９】
本発明の以上の及び他の特徴については、以下に説明する実施形態を参照して明らかになり、理解できるであろう。
【００２０】
異なる図における同じ参照番号は、同じ機能を実行する同じ要素又は同じ信号を表す。指数ｉにより続けられる文字は、数字により続けられる同じ文字を有する参照符号全てを表す。
【発明を実施するための最良の形態】
【００２１】
第１図は、少なくとも２つの書き込み可能な層を有する光ディスクにアクセスするための装置のブロック図である。光要素は、光源ＬＡＳであって、通常、レーザを有し、そのレーザは、光ディスクＤの方に方向付けられた光ビームＬＡ、ＬＢを生成する。光要素は、光ディスクＤから反射された光ビーム（図示せず）を受ける光感応要素を更に有する。
【００２２】
フォーカス回路ＦＣは、光ディスクＤの２つの書き込み可能な層Ｌ１、Ｌ２の一において光ビームＬＡ、ＬＢをフォーカスするために光要素にフォーカス信号ＦＳを供給する。光ビームＬＡは、光要素に最近接である層Ｌ１においてフォーカスされ、光ビームＬＢは、光要素から更に離れている層Ｌ２においてフォーカスされる。
【００２３】
位置決め回路ＰＣは、径方向の位置に位置信号を、光ディスクＤに対して光ビームＬＡ、ＬＢを供給する。モーターＭは、光要素に対して光ディスクＤを回転させ、信号処理回路ＳＰは光ディッスクＤからデータＤＡを読み出し、それから書き込む。
【００２４】
制御器ＣＯはディスクＤの書き込み又は読み出しプロセスを制御する。制御器ＣＯは、フォーカス回路ＦＣにフォーカス制御信号ＦＣＳを、位置決め回路ＰＣに位置決め制御信号を、モーターＭにモーター制御信号ＭＣを、及び信号処理回路ＳＰに信号処理制御信号を供給する。
【００２５】
光ディスクＤは、通常、データ領域と欠陥管理領域ＤＭＡの両方を有する。ディスクＤに記憶されるデータはデータ領域に書き込まれている。制御器ＣＯは、ＤＭＡの１つから又はデータ領域からデータＤＡを読み出し、又はＤＭＡの１つに又はデータ領域にデータＤＡを書き込むように、モーターＭ．フォーカス回路ＦＣ，位置決め回路ＰＣ及び信号処理回路ＳＰを制御する。エラーが処理作される方法及びＤＭＡが用いられる方法は、本発明には重要ではない。それ故、エラー処理については説明を省略し、いずれの既知のアルゴリズムを適用することが可能である。
【００２６】
ディスクの外側ＯＳは、ディスクの中心から離れる、ディスクにおける径方向であり、ディスクの内側ＩＳは、ディスクにおけるスピンドルの穴で境界が付けられる径方向である。
【００２７】
図２は、４つの層を有するディスクにおけるＤＭＡの位置についての本発明に従った実施形態を示している。層Ｌ１乃至Ｌ４は水平方向に積層されている。径方向の位置ＲＰは水平軸に沿って示されている。ディスクＤの内側ＩＳは左側で層Ｌ１乃至Ｌ４に境界付けしており、ディスクの外側ＯＳは右側で層Ｌ１乃至Ｌ４に境界付けしている。欠陥管理領域ＤＦ１は、層において有効である最大連続データ領域ＣＤＡ１を得るために、ディスクＤの内側ＩＳにおける径方向位置ＲＰ１の層に存在する。欠陥管理領域ＤＦ４は、層Ｌ４において有効である最大連続データ領域ＣＤＡ４を得るために、ディスクＤの外側ＯＳに置ける径方向位置ＲＰ４の層Ｌ４に存在する。欠陥管理領域ＤＦ２は径方向ＲＰ２における層Ｌ２に存在し、欠陥管理領域ＤＦ３は径方向ＲＰ３における層Ｌ３に存在する。層Ｌ２は比較的大きいデータ領域ＣＤＡ２１とＣＤＡ２２とを有し、層Ｌ３は比較的大きいデータ領域ＣＤＡ３１とＣＤＡ３２とを有する。欠陥管理領域ＤＦ１乃至ＤＦ４は、ディスクに対して一様に分布した径方向位置ＲＰ１乃至ＲＰ４を有する。
【００２８】
１つの欠陥領域が層毎に存在する、そのような欠陥領域ＤＦ１乃至ＤＦ４の分布は、有効なしだい連続データ領域ＣＤＡｉを提供する。他方、欠陥管理領域ＤＦ１乃至ＤＦ４の異なる径方向位置ＲＰ１乃至ＲＰ４のために、ディスクＤにおける実際の径方向位置と最近接欠陥管理領域との間の距離は有効な最小値である。
【００２９】
この分布を、４つより多い又は少ない層に容易に適合させることができる。２層に対するこの分布について、図３に示している。
【００３０】
層Ｌ２及びＬ３における欠陥管理領域ＤＦｉは、ディスクＤに対して欠陥管理領域ＤＦｉ全ての一様な分布を得るように位置決めされている。層Ｌ２及びＬ３における欠陥管理領域ＤＦｉは、他の層Ｌ１及びＬ４における他の欠陥管理領域ＤＦｉに対する異なる径方向位置を有する限り、実際の径方向位置から欠陥管理領域ＤＦｉの１つまでの距離はより小さくなる。欠陥管理領域ＤＦ２及びＤＦ３は同じ系方向位置に位置決めされることが可能である。データ領域ＣＤＡｉの１つにおけるエラー領域から最近接欠陥管理領域ＤＦｉまでのより小さいジャンプを得るように、少なくとも２つの欠陥領域は異なる径方向位置を有し、同じ径方向位置に存在しない。
【００３１】
図３は、２層を有するディスクにおけるＤＭＡの位置についての本発明に従った実施形態を示している。
【００３２】
欠陥管理領域ＤＦ１は、ディスクＤの内側ＩＳにある径方向位置ＲＰ１の層Ｌ１に位置決めされている。欠陥管理領域ＤＦ２は、ディスクＤの外側ＯＳにある径方向位置ＲＰ２の層Ｌ２に位置決めされている。最大有効連続データ領域は、層Ｌ１及びＬ２両方において利用可能である。一方、エラー領域と最近接欠陥管理領域ＤＦ１、ＤＦ２との間の距離は最小である。
【００３３】
図４は、２層を有するディスクにおけるＤＭＡの位置についての本発明に従った実施形態を示している。
【００３４】
欠陥管理領域ＤＦ１は、ディスクＤの内側ＩＳにある径方向位置ＲＰ１の層Ｌ１に位置決めされている。欠陥管理領域ＤＦ３は、ディスクＤの外側ＯＳにある径方向位置ＲＰ３の層Ｌ１に位置決めされている。欠陥管理領域ＤＦ２は、径方向位置ＲＰ１とＲＰ３との間の中間の径方向位置ＲＰ２の層Ｌ２に位置決めされている。次第有効連続データ領域は層Ｌ２において利用可能である。２つの大きい連続データ領域は層Ｌ１において利用可能である。エラー領域と最近接欠陥管理領域ＤＦ１、ＤＦ２又はＤＦ３との間の距離は図３に示す実施形態の距離の半分である。
【００３５】
図５は、２層を有するディスクにおけるＤＭＡの位置についての本発明に従った実施形態を示している。
【００３６】
欠陥管理領域ＤＦ１は、ディスクＤの内側ＩＳにある径方向位置ＲＰ１の層Ｌ１に位置決めされている。欠陥管理領域ＤＦ４は、ディスクＤの外側ＯＳにある径方向位置ＲＰ４の層Ｌ２に位置決めされている。欠陥管理領域ＤＦ２は、径方向ＲＰ２の層Ｌ１に位置決めされ、欠陥管理領域ＤＦ３は、径方向ＲＰ３の層Ｌ２に位置決めされている。欠陥管理領域ＤＦ１乃至ＤＦ４の径方向位置ＲＰ１乃至ＲＰ４は、等しい径方向距離が連続する欠陥管理領域ＤＦ１乃至ＤＦ４の間に存在するように、選択される。２つの大きな連続データ領域は、層Ｌ１及び層Ｌ２の両方において利用可能である。エラー領域と最近接欠陥管理領域ＤＦ１乃至ＤＦ４との間の距離はず３に示す実施形態の距離より小さい。
【００３７】
上記の実施形態は本発明を限定するのではなく、同時提出の特許請求の範囲における範囲から逸脱することなく、当業者は多くの代替の実施形態をデザインすることができるであろう。例えば、その層のその径方向に対するＤＭＡの位置は、ディスクの固定位置であって、例えば、ヘッダ領域に記憶されることが可能性である。その実施形態においては、ディスクの外側ＯＳ及び内側ＩＳに対するＤＭＡの位置は置き換えることが可能である。
【００３８】
表現“を有する”は、請求項に列挙された要素又は段階以外の要素又は段階の存在を排除するものではない。本発明は、幾つかの別個の要素を有するハードウェアにより、及び適切にプログラムされたコンピュータにより、実施されることができる。幾つかの手段を列挙した装置請求項においては、それらの手段の幾つかは全く同一のハードウェアのアイテムにより具現されることができる。特定の手段が互いに異なる独立請求項に列挙されているという単なる事実は、それら手段の組合せが有利になるように使用されないことを示すものではない。
【図面の簡単な説明】
【００３９】
【図１】少なくとも２つの書き込み可能な層を有する光ディスクにアクセスするための装置のブロック図である。
【図２】４つの層を有するディスクにおけるＤＭＡの位置についての本発明に従った実施形態を示す図である。
【図３】２つの層を有するディスクにおけるＤＭＡの位置についての本発明に従った実施形態を示す図である。
【図４】２つの層を有するディスクにおけるＤＭＡの位置についての本発明に従った実施形態を示す図である。
【図５】２つの層を有するディスクにおけるＤＭＡの位置についての本発明に従った実施形態を示す図である。
【図１】
2006500713.tif 000003
【図２】
2006500713.tif 000004
【図３】
2006500713.tif 000005
【図４】
2006500713.tif 000006
【図５】
2006500713.tif 000007
【国際調査報告】
2006500713.tif 000008
2006500713.tif 000009
2006500713.tif 000010
2006500713.tif 000011